(57)【要約】【課題】取り外し、及び蓋の開閉を簡便に行う。【解決手段】シリコンゴム製のカバー１０には、カメラ１１の背面の一部を覆う折り返し部２３が設けられており、折り返し部２３には、カメラ１１の背面に設けた液晶表示部２０を露呈させる矩形の大開口２２が形成されている。大開口２２を広げてカメラ１１を挿入することでカバー１０が装着される。大開口２２の一隅２２ａには、突起部２７が設けられている。突起部２７には、指を押し当てる指当て面２７ａが設けられている。突起部２７は、他の部分よりも剛性を高めて、指当て面２７ａに作用する押し下げ力が一隅２２ａに伝わる厚みで作られている。一隅２２ａが押し下げられると、カメラ１１の角部１１ａを乗り越え、電池交換用の蓋３０の開閉路を露呈する。【選択図】 図２
2010190916.tif 000002
【特許請求の範囲】
【請求項１】
弾性を有する電子機器用のカバーにおいて、
前記電子機器を挿入するための開口と、
前記開口の縁から外に向けて突出し、かつ少なくとも該カバーに繋がる根本の厚みが他の部分よりも厚く形成されており、該カバーの一部を取り外すときに作用する押し下げ力を前記開口の縁に伝えて前記電子機器の一部を露呈させるための突起部と、
を具備したことを特徴とする電子機器用カバー。
【請求項２】
前記突起部には、指を押し当てるための指当て面が形成されており、前記指当て面には、指が滑ることを防止するための滑り止め部材が設けられていることを特徴とする請求項１記載の電子機器用カバー。
【請求項３】
前記突起部の厚みは、前記指当て面に作用する押し下げ力が前記開口の縁に伝わるように他の部分よりも剛性を高めた厚みになっていることを特徴とする請求項１又は２記載の電子機器用カバー。
【請求項４】
前記電子機器は略直方体をしており、また、前記開口は矩形になっており、
前記突起部は、前記開口の一隅に設けられ、前記開口の一隅がその内側でカバーされている前記電子機器の一角部を乗り越えるように、その開口の一隅に前記押し下げ力を伝える厚みで形成されていることを特徴とする請求項１又は２記載の電子機器用カバー。
【請求項５】
前記電子機器には、前記開口により露呈される一面と前記一角部に接する他面に、開閉自在な蓋が設けられており、
該カバーは、前記開口の一隅が前記一角部を乗り越えて押し下げられたときに、前記蓋の一部、及びその蓋の開閉路を開放することを特徴とする請求項４記載の電子機器用カバー。
【請求項６】
前記突起部の先端に指掛け部を設けたことを特徴とする請求項１ないし５いずれか記載の電子機器用カバー。
【請求項７】
前記突起部の先端につまみ部を設けたことを特徴とする請求項１ないし５いずれか記載の電子機器用カバー。
【請求項８】
前方に突出する鏡筒を正面にもち、かつ背面に略矩形な液晶表示部を備えた略直方体のカメラを保護する、弾性を有するカメラ用カバーにおいて、
前記鏡筒の周りを包む突部と、
前記液晶表示部を露呈し、前記カメラに装着するときに挿入するための略矩形な開口と、
前記開口の一隅から外に向けて突出して設けられており、かつ少なくとも該カバーに繋がる根本の厚みが厚く形成されており、前記背面に繋がる一角部を乗り越えて前記カメラの平面、左右側面、及び底面のうちのいずれかの面の一部が露呈するように、該カバーを取り外すときに作用する押し下げ力を前記開口の一隅に伝えるための突起部と、
を具備したことを特徴とするカメラ用カバー。
【請求項９】
前記鏡筒は、前記カメラの前面の右上又は左上に配されており、
前記突起部は、前記鏡筒に引っ掛かる前記突部に対して対角方向の逆側で、かつ反対面に位置する開口の隅に設けられていることを特徴とする請求項８記載のカメラ用カバー。
【発明の詳細な説明】
【技術分野】
【０００１】
本発明は、電子機器を埃や衝撃から保護するための弾性を有する電子機器用カバー、及びカメラ用カバーに関するものである。
【背景技術】
【０００２】
従来、携帯用ゲーム機を保護するためのシリコンゴム製のカバーが知られている（特許文献１）。このカバーは、前面に液晶表示部を露呈するための前開口が、また背面にゲーム機を挿入するための後開口がそれぞれ設けられており、ゲーム機に装着後に前開口には透明なキャップが、また後開口には密閉用のキャップがそれぞれ取り付けられる。このカバーは、弾性を有しているため、カバーの上から操作ボタンを操作することができ、しかも、ゲーム機を完全に密閉するため、海、川、あるいは風呂場でも使用することができる。しかし、電子機器には、電池交換が必要であり、またメモリカード用スロット等にアクセスする必要なものがある。このような場合には、カバーを一々取り外す必要があり、面倒である。
【０００３】
そこで、一部を切り欠いた捲れ部を通して、カバーを装着したままカメラ本体の電池蓋やメモリカード取出し用蓋を開閉することができるようにしたデジタルカメラ用のシリコンカバーが提供されている（非特許文献１）。このカバーは、横長矩形のカメラ本体の全周を覆うタイプで、カメラ本体がぴったり収まる。厚みが薄く作られているおり、カバーしたまま撮影が行える。捲れ部は、直線的な切り込み部を作って上下が捲れるように作っている。カメラ本体を挿入するための開口は、カメラ本体の背面に配されている液晶表示部を保護するための透明なプラスチックシートを取り外すことで露呈される開口となっている。
【先行技術文献】
【特許文献】
【０００４】
【特許文献１】特開２００７−１５９７１６号公報
【非特許文献】
【０００５】
【非特許文献１】デジタルカメラ用シリコンカバー（Snug-IT LUMIX TZ3用[DDS-PLTZ3] （商品名）、平成２０年２月２６日インターネット発表（http://blog.fideli.com/hsgear/archive/28/0）、ＨＳＧインフォメーション株式会社（掲載者）、「平成２１年１月２６日検索」、インターネット＜ＵＲＬ：http://www.hsgi-shop.jp/product/105?＞
【発明の概要】
【発明が解決しようとする課題】
【０００６】
非特許文献１に記載のカバーは、厚みの薄いシリコンゴム製となっているため、伸びやすくフィット性（密着性）に優れているが、修理やメンテナンスの時にはカバーを完全に取り外す必要がある。しかし、カメラ本体にいったん装着すると、フィット性が良すぎるため、プラスチックシートを外した開口の縁に爪を立てて力入れて開口の縁を引っ張りながら捲っていくようにしないと、カバーを取り外し難い。また、ある程度までは伸びるが、開口の隅等を無理に引っ張るとそこから破けるおそれがある。
【０００７】
なお、取り外しし易いように、薄いベロ状のつまみを突出して設けたシリコンカバーが考えられる。このタイプの場合には、つまみの根本が薄いと、引きちぎれるため、根本を厚くする事が考えられる。しかし、厚くすると弾力性が強くなるため、つまみを引っ張る力と、つまみをつまみ続ける力に強い力が必要になり、力の弱い女性や子供には取り外しが難しくなるおそれがあった。
【０００８】
また、電池蓋やメモリカード取出し用蓋は、一般的にカメラ本体の底面の左隅又は右隅、又は左右側面の上隅又は下隅に設けられている。シリコンカバーの外形を構成する６面のうちのいずれかの面の隅に、前述したような捲れ部を設けると、操作中に手や指が引っ掛かって捲れ部の端が捲れ上がったり、長期的に使用していると、捲れ部の端が弾性力を失って浮き上がってしまうおそれがあった。
【０００９】
本発明は、上述した事情に鑑みてなされたものであって、取り外しが簡単に、かつ破けないように安全に行え、しかも、電池室やメモリカード用スロット等へのアクセスの容易性を維持しながら、それらの蓋を覆う部分も確実に保護することができるようにした工夫した電子機器用カバー、及びカメラ用カバーを提供することを目的とする。
【課題を解決するための手段】
【００１０】
上記目的を達成するために、本発明の電子機器用カバーでは、弾性を有する材料で形成されており、電子機器を挿入するための開口と；前記開口の縁から外に向けて突出して設けられており、かつ少なくとも該カバーに繋がる根本の厚みが他の部分よりも厚く形成されており、該カバーの一部を取り外すときに作用する押し下げ力を前記開口の縁に伝えて前記電子機器の一部を露呈させるための突起部と；を具備したものである。
【００１１】
突起部に、指を押し当てるための指当て面を設けるのが望ましい。この場合、指が滑ることを防止するために、指当て面に滑り止め部材を設けるのが好適である。
【００１２】
突起部の厚みとしては、指当て面に作用する押し下げ力が前記開口の縁に伝わるように他の部分よりも剛性を高めた厚みにするのが望ましい。
【００１３】
電子機器としては、略直方体をした形状のものが多い。電子機器を挿入するための開口としては、矩形の表示部を露呈させる矩形の開口や、大きな鏡筒を突出させるための円形の開口等が考えられる。矩形の開口の場合には、開口の縁が電子機器の略直方体を構成する６つ角部のうちの一角部を乗り越えて押し下げられるように開口の一隅に突起部を設けるのが好適である。こうすることで、突起部を押し下げると、一番力の入る最初の角部の取り外しを簡便に行うことができる。円形の開口の場合には、直方体の電子機器を使用する状態から見て対角線方向の一縁に突起部を設ければよい。
【００１４】
電子機器には、電池室、メモリカード用スロット、イヤホン接続部、ＵＳＢ接続部等が設けられており、これらは一般的に開閉自在な蓋で覆われている。蓋を開けるのにカバーを全部取り外すのは面倒である。そこで、開口の一隅が電子機器の一角部を乗り越える位置まで押し下げられたときに、前記蓋の一部、及びその蓋の移動路も同時に露呈されるように、前記突起部を前記開口の隅に設けるのが好適である。これによれば、カバーを全部取り外すことなく、電子機器の一角部だけをカバーから露呈するだけで蓋の開閉が行えるから簡便である。なお、前記突起部の先端に指掛け部やつまみ部を設けてもよい。
【００１５】
また、本発明のカメラ用カバーは、前方に突出する鏡筒を正面にもち、かつ背面に略矩形な液晶表示部を備えた略直方体のカメラを保護し、かつ弾性を有するカメラ用カバーであり、このカバーには、前記鏡筒の周りを包む突部と；前記液晶表示部を露呈し、前記カメラに装着するときに挿入するための略矩形な開口と；前記開口の一隅から外に向けて突出し、かつ少なくとも該カバーに繋がる根本の厚みが厚く形成されており、該カバーを取り外すときに作用する押し下げ力を、前記背面に繋がる一角部を乗り越えて前記カメラの平面、左右側面、及び底面のうちのいずれかの面の一部が露呈するように前記開口の縁に伝えるための突起部と；を具備したものである。
【００１６】
前記鏡筒が前記カメラの前面の右上又は左上に配されている場合には、前記鏡筒に引っ掛かる前記突部に対して対角方向の逆側で、かつ反対面に対応する前記開口の隅に前記突起部を設けるのが好適である。
【発明の効果】
【００１７】
本発明の電子機器用カバーによれば、該カバーを取り外すときに作用する押し下げ力を電子機器の一部が露呈するように開口の縁に伝えるための突起部を設けたから、取り外し作業が容易になり、また破くことなく安全に行える。
【図面の簡単な説明】
【００１８】
【図１】デジタルカメラとこれを保護するためのカバーを示す斜視図である。
【図２】デジタルカメラに装着したカバーを示す背面側斜視図である。
【図３】デジタルカメラに装着したカバーを示す縦断面図である。
【図４】突起部を示す要部斜視図であり、背面側から見ている。
【図５】大開口の対角線方向に切断した突起部の要部断面図である。
【図６】デジタルカメラに装着したカバーの突起部に指を掛けた状態を示す背面側斜視図である。
【図７】指で突起部を押し下げてカバーの一角部をカメラの一角部から取り外して蓋の開閉操作を許容した状態を示す背面側斜視図である。
【図８】更に指で突起部を押し下げてカバーをカメラから完全に取り外す状態を示す背面側斜視図である。
【図９】カバーの内壁の側面に設けた複数のリブを示す背面側斜視図である。
【図１０】図９で説明した複数のリブを示す断面図である。
【図１１】突起部の他の例を示す要部断面図である。
【図１２】突起部の先端に指掛け部を設けた別の実施形態を示す背面側斜視図である。
【図１３】図１２で説明した突起部、及び指掛け部を示す断面図である。
【図１４】突起部の先端につまみ部を設けた他の実施形態を示す背面側斜視図である。
【図１５】図１４で説明した突起部、及びつまみ部を示す断面図である。
【発明を実施するための形態】
【００１９】
本発明の一例であるカバー１０は、図１に示すように、完全防水型のデジタルカメラ（以下「カメラ」と称す）１１に着脱自在に装着されるカバーである。このカバー１０は、略横長矩形のカメラ１１の前面、平面、底面、左右側面、及び背面の一部を覆う被せ式タイプのカバーである。カバー１０の前面には、カメラ１１の撮影窓１２、ストロボ発光窓１３等を個別に露呈するための複数の開口１４，１５が形成されている。
【００２０】
撮影窓１２は、カメラ１１の正面から見て右上に突出して配した鏡筒１２ａの前面に配されている。撮影窓１２を露呈する開口１４は、鏡筒１２ａを覆う突部１４ａの前面に形成されており、突部１４ａは、カメラ１１を装着するときに鏡筒１２ａに引っ掛かって位置決めの作用をする。また、カメラ１１には、平面に電源スイッチ１６、及びシャッタボタン１７が配されている。これら操作部１６，１７は、カバー１０を装着したまま操作することができる。
【００２１】
カバー１０の左側面の中央には、図２に示すように、円弧状に突出した円弧部１８が形成されており、この円弧部１８の前後には、ストラップ用の貫通穴１９が形成されている。また、カバー１０の背面には、カメラ１１の液晶表示部２０、及び背面操作部２１をまとめて露呈するための一つの大開口２２が形成されている。この大開口２２は、図３に示すように、カメラ１１の背面を部分的に覆う折り返し部２３を有する断面略Ｃ字状に形成されている。大開口２２を広げてカメラ１１を挿入し、折り返し部２３をカメラ１１の背面に包み込むように被せることでカバー１０がカメラ１１に装着される。
【００２２】
液晶表示部２０は、カメラ１１の背面に一段盛り上がって設けられた台座部２４に内蔵されており、台座部２４の背面に液晶表示部２０の矩形な表示面２０ａが露呈している。台座部２４には、カバー１０の平面、側面、及び底面に繋がる緩やかな斜面をもつ斜面部２５が繋がっている。折り返し部２３は、斜面部２５を覆って縁が台座部２４の面に乗り上がり、表示面２０ａの縁と背面操作部２１の全周の縁とを合わせた横長矩形の縁に一致する位置まで伸びている。このカバー１０は、高い伸縮性、耐水性、及び耐熱性を有するシリコンゴムで作られている。なお、シリコンゴム以外に、シリコンを主体とするゴムやその他の合成ゴムで作っても良い。
【００２３】
一般的にシリコンゴム製のカバーは、密着性が高く、しかも弾性が強いため、引き剥がし難く、さらに引っ張り難いため、取り外しに強い力が必要になる。しかし、本発明のカバーに１０は、図４、及び図５に示すように、大開口２２の一隅２２ａに対応する折り返し部２３に、指を掛けるためのノブ状の突起部２７が一体的に設けられている。この突起部２７には、指を当てる指当て面２７ａが設けられている。指当て面２７ａは、大開口２２の対角線上の外方向に向けて突出している。なお、突起部２７は、本実施形態では、表示面２０ａに対して右下角に対応する一隅２２ａに設けられている。
【００２４】
突起部２７は、大開口２２の一隅２２ａに対応する斜面部２５を覆う位置に、厚みを厚くして形成されている。カバー１０のうちの突起部２７以外の部分は、突起部２７よりも厚み薄く、かつ均一な厚みになっている。突起部２７の幅は、例えば親指が引っ掛かる程度の幅で作られている。突起部２７の厚みは、他の部分よりも剛性を高くすることで、指当て面２７ａに作用する押し下げ力が大開口２２の一隅２２ａまで伝わるような厚み、詳しくは、根本から先端又はその途中まで徐々に増す厚みで作られている。
【００２５】
また、突起部２７の指当て面２７ａには、指が滑ることを防止する滑り止め部材が設けられている。本実施形態では、滑り止め部材として、指が引っ掛かるように、僅かな幅及び高さで形成した突条部２７ｂを一体的に設けている。なお、滑り止め部材としては、表面を荒らす加工を施してもよいし、突条部２７ｂの代わりに複数の溝を作ってもよい。この指当て面２７ａは、カメラ１１の斜面部２５の傾斜と同じ、又はそれと同じ方向に傾斜する斜面になっている。
【００２６】
図６、及び図７に示すように、カバー１０を装着したカメラ１１を、背面を上に向けて両手で持ち、右手親指で突起部２７の指当て面２７ａに押し当てて押し下げる。このとき、反対面（カメラの前面）では、突部１４ａが鏡筒１２ａに引っ掛かっている。このため、他の部分がずれることなく、大開口２２の一隅２２ａのみがカメラ１１の斜面部２５に沿って押し下げられる。そして、大開口２２の一隅２２ａがその方向にあるカメラ１１の底面の一角部１１ａを乗り越える位置まで押し下げられることで、カメラ１１の底面の一部が露呈される。さらに押し下げることで一角部１１ａに対してその押し下げ方向にある２つ目の角部１１ｂを乗り越える。２つ目の角部１１ｂを乗り越えることで、大開口２２の一隅２２ａがカメラ１１の角部１１ｂに引っ掛かり、一隅２２ａが元の位置に戻らず、底面の一部を露呈した状態に維持される。
【００２７】
カメラ１１の底面には、電池、及びメモリカードを交換するときに開かれる蓋３０が設けられている。蓋３０は、背面を上にして見て底面の右寄り（カメラ１１の左側面寄り）に設けられおり、閉じ位置からその右方向に設定されている開き位置３０ａに向けてスライドして開く。カバー１０は、大開口２２の一隅２２ａがカメラ１１の角部１１ｂを乗り越える位置まで押し下げられると、蓋３０の一部を露呈し、かつ蓋３０の移動路を開放する。つまり、カバー１０を全部取り外すことなく、角部１１ａ，１１ｂを露呈するだけで蓋３０を開閉することができる。これにより、メモリカード用スロット、及び電池室へのアクセスが簡単に行える。
【００２８】
なお、蓋３０が完全に露呈されていなくても、開口２２の縁を少し押し下げれば、蓋３０の開閉路を開放することができる。したがって、２つの角部１１ａ，１１ｂを乗り越える位置まで大開口２２の隅２２ａを押し下げることに限らず、最初の一角部１１ａだけを乗り越える位置まで押し下げるようにしてもよい。また、蓋３０としては、スライド式の蓋に限らず、スロットや電池室を露呈する開口部を塞ぐ蓋をヒンジに繋げて、ヒンジを中心に開閉するタイプや、開口部に対して着脱するタイプの蓋でもよい。
【００２９】
カバー１０を完全に取り外す場合には、図７で説明した状態から突起部２７をもって更にカバー１０を引き剥がしていくことで図８に示す状態になる。このような被せ式のカバー１０は、カメラ１１の輪郭にある６つ角部をそれぞれ覆うことで角部の対角方向にそれぞれ引っ張り力が生じて装着が頑固となる。このため、大開口２２の一隅２２ａをカメラ１１の一角部１１ａから外すと、一方の対角方向への引っ張り力が弱まる。よって、残りの角部を外すときには少ない力で行える。
【００３０】
カバー１０の内部には、図９、及び図１０に示すように、カメラ１１の側面に対峙する内壁に、正面から側面を通って背面に伸びた細幅のリブ４０が複数形成されている。これらのリブ４０により、主にカメラの各角部、及び左右側面側での密着性が弱められる。このため、大開口２２の一隅２２ａを、カメラ１１の角部１１ａから取り外すとき、またその後に全部を取り外すときに、引き剥がす力が小さな力で済み、取り外しが容易になる。なお、リブ４０の列は、一方側（右側面又は左側面）の内壁のみに設けても良い。
【００３１】
上記実施形態では、カバー１０を押し下げるための突起部２７を、液晶表示部を露呈するための大開口２２の一隅２２ａに設けているが、本発明はこれに限定されることはなく、例えばカメラ正面に大きな円形の鏡筒がある場合にはその鏡筒を露呈又は突出する開口の一隅に設けてもよい。この場合の開口としては、矩形に限らず円形であってもよい。円形の場合には、直方体の電子機器を使用する状態から見て対角線方向の一縁に突起部を設ければよい。さらに、矩形な開口の場合には、隅との間の直線部に設けても良い。さらにまた、開口の一隅を含んで直線部まで伸ばした略Ｌ字の範囲に突起部を広げて設けても良い。
【００３２】
さらに、上記各実施形態では、蓋３０をカメラ１１の底面に配した例で説明しているが、本発明では底面に限らず、平面、又は左・右側面に配されていてもよい。この場合には、蓋３０の開閉路が露呈するようにカバー１０の一部を外すために、蓋３０の位置に応じて突起部２７を設ける位置を考慮すればよい。そして、蓋３０がカメラ１１の前記面の角部寄りに配されておらず、前記面の中央に配されている場合には、その面の両側の２つの角部を乗り越えて大開口２２の２隅を一緒に押し下げることができるように、突起部２７を前記２隅に個別に設けても良い。電子機器を両手もっている場合、開口の２隅までは両手親指で一緒に押し下げることが出来る。
【００３３】
また、上記各実施形態では、図５で説明したように、突起部２７の指当て面２７ａが底面側から見て僅かに右下がりの斜面で作られているが、本発明ではこれに限らず、液晶表示部２０の表示面２０ａと平行な面で作っても良いし、図１１に示すように、突起部４１の指当て面４１ａを右上がりの面で作っても良い。この場合も滑り止め部材として突条部４１ｂを設けるのが望ましい。
【００３４】
さらに、上記各実施形態では、指当て面２７ａを設けた突起部２７としているが、図１２、及び図１３に示すように、指当て面２７ａ以外に、突起部２７の先端に指掛け部３２を一体的に設けても良い。この場合、カバー１０を取り外すときに指を指掛け部３２に掛けて押し下げることができるので、取り外し作業がさらに簡便に行える。
【００３５】
また、図１４、及び図１５に示すように、突起部２７の先端にタブ（つまみ部）３５を設けても良い。この場合も、タブ３５をつまんで押し下げることもできるので、取り外し作業が簡便に行える。
【産業上の利用可能性】
【００３６】
上記各実施形態では、デジタルカメラ用のカバーとして説明しているが、本発明ではデジタルカメラに限定されるものではなく、例えば写真用カメラ、ビデオカメラ、ゲーム機、ゲーム機用操作部、電子機器用リモコン、ハードディスク、デジタルオーディオプレーヤー、及びＤＶＤ再生機器等にも採用することができる。
【符号の説明】
【００３７】
１０  カバー
１１  デジタルカメラ
２２  大開口
２３  折り返し部
２７  突起部
３２  指掛け部
３５  タブ（つまみ部）
４０  リブ
【図１】
2010190916.tif 000003
【図２】
2010190916.tif 000004
【図３】
2010190916.tif 000005
【図４】
2010190916.tif 000006
【図５】
2010190916.tif 000007
【図６】
2010190916.tif 000008
【図７】
2010190916.tif 000009
【図８】
2010190916.tif 000010
【図９】
2010190916.tif 000011
【図１０】
2010190916.tif 000012
【図１１】
2010190916.tif 000013
【図１２】
2010190916.tif 000014
【図１３】
2010190916.tif 000015
【図１４】
2010190916.tif 000016
【図１５】
2010190916.tif 000017